(57)【要約】【課題】光ディスク装置のトップケースとボトムケースとを、少数の固定部材で固定し、装置の外部又は内部からの振動による異音の発生を低減する。【解決手段】ボトムケースのウィング部における装置の厚さ方向の下端に、傾斜部を有する切欠き穴を勘合部として有し、また、厚さ方向の上端に突出部を設ける。トップケースのウィング部における装置の厚さ方向の下端に、突出した勘合部を有する。双方の勘合部を勘合させ前記傾斜部に沿って移動させ、双方の勘合部同士、及びボトムケースの突出部とトップケースの裏面が、互いに応力を有するように接触させ、１個の固定部材で固定する。ウィング部に対向する部分での双方の勘合は、例えばフック止めでも良い。【選択図】図８
2013218770.tif 000002
【特許請求の範囲】
【請求項１】
記録媒体である光ディスクを内部に挿入し、挿入された前記光ディスクを外部に排出する光ディスク装置であって、
前記光ディスクの一部と対向し、前記光ディスクを搬送して前記光ディスク装置の内部に挿入し、また外部に排出するディスクトレイと、
前記光ディスク装置の底面側を外装し、前記光ディスクが挿入された際に前記ディスクトレイと対向しない部分を外装するウィング部を有し、当該ウィング部に一辺の中央部が傾斜する角型の切欠き穴を有するボトムケースと、
前記光ディスク装置の表面側を外装し、前記光ディスクが挿入された際に前記ディスクトレイと対向しない部分を外装するウィング部を有し、当該ウィング部に前記ボトムケースの切欠き穴と勘合する突出部を有するトップケースと
を備えることを特徴とする光ディスク装置。
【請求項２】
請求項１に記載の光ディスク装置において、前記ボトムケースは突出部を有し、当該突出部は、前記トップケースの突出部が前記ボトムケースの切欠き穴と勘合する際に、前記トップケースの裏面と接触することを特徴とする光ディスク装置。
【請求項３】
請求項２に記載の光ディスク装置において、前記ボトムケースの突出部、前記ボトムケースの切欠き穴、及び前記トップケースの突出部は、前記ディスクトレイにおける前記光ディスクの搬送方向に沿い２個設けられたことを特徴とする光ディスク装置。
【請求項４】
請求項１に記載の光ディスク装置において、前記トップケース及びボトムケースの前記ディスクトレイを挟んで前記ウィング部と対向する側面では、前記トップケースと前記ボトムケースは互いにフック止めで勘合されることを特徴とする光ディスク装置。
【請求項５】
請求項１に記載の光ディスク装置において、前記トップケースとボトムケースが勘合された際に双方のケースを互いに固定する１個の固定部材を有することを特徴とする光ディスク装置。
【発明の詳細な説明】
【技術分野】
【０００１】
本発明は光ディスク装置に係り、特に異音の発生を低減した光ディスク装置に関するものである。
【背景技術】
【０００２】
光ディスク装置において、例えばノート型のパーソナルコンピュータ（以下、ＰＣと略記する）に搭載される装置に対しては、小型化、軽量化、薄型化が強く求められている。現在では、厚さが１２．７ｍｍ、或いは９．５ｍｍの光ディスク装置が一般化してきたが、さらに薄型化、軽量化するための技術開発が進められている。
特許文献１は、光ディスク装置において、装置の厚さを増加させることなく光ディスクを緊急排出するための機構を開示している。
【先行技術文献】
【特許文献】
【０００３】
【特許文献１】特開２００９−２８３１１０号公報
【発明の概要】
【発明が解決しようとする課題】
【０００４】
ところで、前記したような薄型化、軽量化をされた光ディスク装置においては、装置の外部から伝搬される振動、或いは、装置の内部で発生される振動によって各構成要素が揺れ動き、異音を発生することがある。このため、異音の発生を防止するための施策が要求される。
光ディスク装置の表面側を外装するトップケースと、底面側を外装するボトムケースとを例にあげると、双方の間を例えば４本程度のネジで固定する例がある。或いは、双方のケースを他の構成要素を仲介して、例えば４本程度のネジで固定する例がある。また、トップケースにおいては、他の構成要素との間に弾性体を挟み、隙間（ガタ）を低減することで異音を低減する例もある。いずれの場合も、ネジをはじめとする固定部材を多数使用することになるが、現状では当然ながら、使用する固定部材の数と異音の量は相反する関係にある。このため、より少ない構成要素で異音の発生を低減する方法が期待されている。
本発明の目的は前記した課題に鑑み、異音の発生を低減した光ディスク装置を提供することにある。
【課題を解決するための手段】
【０００５】
前記課題を解決するため本発明は、記録媒体である光ディスクを内部に挿入し、挿入された前記光ディスクを外部に排出する光ディスク装置であって、
前記光ディスクの一部と対向し、前記光ディスクを搬送して前記光ディスク装置の内部に挿入し、また外部に排出するディスクトレイと、
前記光ディスク装置の底面側を外装し、前記光ディスクが挿入された際に前記ディスクトレイと対向しない部分を外装するウィング部を有し、当該ウィング部に一辺の中央部が傾斜する角型の切欠き穴を有するボトムケースと、
前記光ディスク装置の表面側を外装し、前記光ディスクが挿入された際に前記ディスクトレイと対向しない部分を外装するウィング部を有し、当該ウィング部に前記ボトムケースの切欠き穴と勘合する突出部を有するトップケースと
を備えることを特徴としている。
また本発明は、前記光ディスク装置において、前記ボトムケースは突出部を有し、当該突出部は、前記トップケースの突出部が前記ボトムケースの切欠き穴と勘合する際に、前記トップケースの裏面と接触することを特徴としている。
【発明の効果】
【０００６】
本発明によれば、異音の発生を低減した光ディスク装置を提供でき、光ディスク装置の基本性能の向上に寄与できるという効果がある。
【図面の簡単な説明】
【０００７】
【図１】一実施例における光ディスク装置の正面斜め上側からの第１の斜視図である。
【図２】一実施例における光ディスク装置の正面斜め上側からの第２の斜視図である。
【図３】一実施例における光ディスク装置の正面斜め下側からの斜視図である。
【図４】一実施例における光ディスク装置の正面斜め上側からの第３の斜視図である。
【図５】一実施例における光ディスク装置の正面斜め上側からの第４の斜視図である。
【図６】従来例におけるケースの勘合部の正面図である。
【図７】従来例におけるケースの勘合部の断面図である。
【図８】一実施例におけるケースの勘合部の正面図である。
【図９】一実施例におけるケースの勘合部の断面図である。
【図１０】一実施例におけるボトムケースの正面斜め上側からの斜視図である。
【図１１】従来例におけるボトムケースの勘合部の正面図である。
【図１２】一実施例におけるボトムケースの勘合部の正面図である。
【発明を実施するための形態】
【０００８】
以下、本発明の実施例につき図面を用いて説明する。
図１は、一実施例における光ディスク装置１の正面斜め上側からの第１の斜視図であり、ディスクトレイ１１が光ディスク装置１の外部に送出された状態を、正面右寄りから示している。
図２は、一実施例における光ディスク装置１の正面斜め上側からの第２の斜視図であり、ディスクトレイ１１が光ディスク装置１の内部に格納された状態を、正面右寄りから示している。
【０００９】
図１におけるディスクトレイ１１の手前側には、フロントパネル（ベゼルとも呼ばれる）２が取付けられている。トップケース３とボトムケース４は、ディスクトレイ１１が図２で示すように光ディスク装置１の内部に格納された状態では、光ディスク装置１をトップ側（正面側）とボトム側（底面側）の双方から外装する。トップケース３とボトムケース４は、アルミをはじめとする金属で形成されることが多い。特にボトムケース４は、光ディスク装置１が有する各構成要素の取付け位置の基準となるため、ボトムシャーシとも呼ばれる。
【００１０】
ディスクトレイ１１は搭載される光ディスクの一部分を保持する。一方、トップケース３とボトムケース４は、ディスクトレイ１１によって搬送された光ディスクが光ディスク装置１の内部に挿入された状態で、光ディスクの全体をカバーする大きさを有する。このため例えば図１と図２では、トップケース３とボトムケース４は向かって右側に向けて、図中に５で示す部分だけディスクトレイ１１よりも幅が広がっている。５の部分をウィング部と呼ぶ。図１と図２ではトップケース３と、そのウィング部５の多くが示されている。
【００１１】
図３は、一実施例における光ディスク装置１の正面斜め下側からの斜視図である。図３ではボトムケース４と、そのウィング部５の多くが示されている。
図４は、一実施例における光ディスク装置１の正面斜め上側からの第３の斜視図であり、ディスクトレイ１１は先の図１と同様な位置にあるが、トップケース３が除去された状態を示している。
図５は、一実施例における光ディスク装置１の正面斜め上側からの第４の斜視図であり、ディスクトレイ１１は先の図２と同様な位置にあるが、トップケース３が除去された状態を示している。
【００１２】
図４と図５では、ボトムケース４のウィング部５において、トップケース３との勘合部を備えており、ここでは４１と４２の符号を付した２個の勘合部が示されている。勘合部４１と４２は、以下でさらに詳しく図示するが、例えば図面上でウィング部５の右端の下部を切欠いた穴であって良い。勘合部４１と４２は、図３で示したトップケース３が有する勘合部３１と３２と勘合して、トップケース３とボトムケース４を互いに固定するように機能するが、詳しくは以下で説明する。
なお、図１と図２に示す光ディスク装置１は一例であって、本実施例を限定するものではない。例えばディスクトレイ１１の形状、ウィング部５の形状と位置などは異なる例を考えることができる。また、勘合部３１、３２、４１及び４２に関しても、その数、形状、位置などは異なる例を考えることができる。いずれに対しても本実施例を適用することができる。
【００１３】
次に、前記した勘合部に関して、従来例と比較しながら本実施例の特徴を説明する。
図６は、従来例におけるケースの勘合部の正面図であり、図１のウィング部５の右側から見た正面図に相当する。
図７は、従来例におけるケースの勘合部の断面図であり、図６のＡ−Ａ１において左側から見た断面図を示す。
【００１４】
図６では、実際には見えない輪郭部を示す際に、ボトムケース４０に係る場合には破線で、トップケース３０に係る場合には一点破線で示している。図６において、ボトムケース４０の勘合部４１０には、トップケース３０の端部の一部から突出する勘合部３１０が挿入される。
図６の正面図と図７の断面図の双方で示されるように、従来例では互いに勘合部を勘合するのみでは、トップケース３０とボトムケース４０との間に隙間（ガタ）が発生する。このために、勘合した後に双方の間を例えば４本程度のネジで固定し、或いは、双方を他の構成要素を仲介して例えば４本程度のネジで固定する必要がある。このため、ネジをはじめとする固定部材が増大し、製造に際して組立て時間を増大させる問題がある。また、固定部材の数を低減すると前記した隙間が発生し易くなるために、振動が与えられた際に異音を発生する問題がある。この問題を解消するため、本実施例では以下で述べる特徴を有している。
【００１５】
図８は、一実施例におけるケースの勘合部の正面図であり、図１のウィング部５の右側から見た正面図を示す。
図９は、一実施例におけるケースの勘合部の断面図であり、図８におけるＢ−Ｂ１の左側から見た断面図を示す。
図８の正面図において、ボトムケース４の勘合部４１である切欠き穴の一部は、光ディスク装置１の奥側から手前側（図８の右側から左側）に向けて傾斜している。また、ボトムケース４は突出部４３を有し、当該突出部４３は光ディスク装置１の厚さ方向において勘合部４１と対向する位置に設けられる。トップケース３の勘合部３１は、勘合部４１の傾斜部分よりも大きく切欠かれた部分（図８では右側）で、先ず勘合部４１と勘合される。
【００１６】
その後、トップケース３は前記傾斜部分に向けて移動され、勘合部３１が勘合部４１の傾斜部分よりも小さく切欠かれた部分（図８では左側）と接触する。この際、前記突出部４３がトップケース３の裏面と接触する。これにより、トップケース３とボトムケース４とは、互いに応力をかけながら勘合される。
図９の断面図で示すように、双方のケースの間の隙間は大幅に低減され、双方の間を１本のネジをはじめとする固定部材で固定すれば、前記した隙間の問題は解消される。これにより、振動を与えられた際の異音の発生を低減することができる。
ボトムケース４の勘合部４１における切欠き穴の傾斜方向は、図８とは逆であっても良い。この場合は当然ながら、トップケース３とボトムケース４とを勘合する際の移動方向が前記とは逆になる。
【００１７】
なお、図８において、突出部４３はトップケース３の裏面に対し限られた面積で接触している。例えば突出部４３をなくし、トップケース３の裏面とボトムケース４の端部をウィング部５の奥行方向の全体にわたり接触させた場合には、例えばトップケース３の裏面の面加工精度に応じて新たな隙間が発生する恐れがある。このため、本実施例では双方の間を突出部４３により接触させている。突出部４３の強度が保てる限りで点接触に近づけると、新たな隙間が発生する恐れはさらに低減する。
【００１８】
図１０は、一実施例におけるボトムケース４の正面斜め上側からの斜視図であり、ボトムケース４を単体で示し、勘合部４１と４２を明確に示している。
図１１は、従来例におけるボトムケースの勘合部４１０の正面図である。
図１２は、一実施例におけるボトムケースの勘合部４１の正面図である。
図１１で示すように、従来例の勘合部４１０は図示する方向から見て四角形の切欠き穴である。しかし、図１２で示すように、本実施例の勘合部４１は図示する方向から見て傾斜部を有することが一つの特徴となっている。
【００１９】
図４、図５と図１０では、ボトムケース４の勘合部として４１と４２の二つを示したが、いずれにおいても以上で述べた勘合方法を用いて良いことは言うまでもない。また、ボトムケース４の勘合部の数は２個に限定するものではなく、３個以上あっても良い。ウィング部５とは反対側、即ち、図５においてディスクトレイ１１を挟んで反対側の側面では、トップケース３とボトムケース４は、以上述べた方法とは異なる勘合方法を用いても良い。例えば、フックを設けて互いに勘合させても良い。また、これまでの実施例とは反対に、トップケース３とボトムケース４は、ウィング部５ではフック止めとし、ウィング部５とは反対側の側面では前記したような傾斜部分を有する切欠き穴で勘合しても良い。
【００２０】
図５で示すボトムケース４のウィング部５において、勘合部４１の近傍に例えばスポンジ状の弾性体を設ける例がある。この場合、光ディスクを光ディスク装置１から排出する際、当該弾性体が光ディスクの外周に接触することにより、光ディスクの回転を停止させる。従来は前記弾性体の高さを、光ディスクの回転を停止させるには過分な高さとし、トップケースとボトムケースで前記弾性体を圧縮して挟み込むことにより、前記した隙間（ガタ）を低減する場合があった。しかし、本実施例によれば弾性体による隙間の低減作用を必要としないため、弾性体を小型化することができる。
ここまで示した実施形態は一例であって、本発明を限定するものではない。本発明の趣旨に基づきながら異なる実施形態を考えられるが、いずれも本発明の範疇にある。
【符号の説明】
【００２１】
１：光ディスク装置、２：フロントパネル、３：トップケース、４：ボトムケース、５：ウィング部、１１：ディスクトレイ、３１，４１，４２：勘合部。
【図１】
2013218770.tif 000003
【図２】
2013218770.tif 000004
【図３】
2013218770.tif 000005
【図４】
2013218770.tif 000006
【図５】
2013218770.tif 000007
【図６】
2013218770.tif 000008
【図７】
2013218770.tif 000009
【図８】
2013218770.tif 000010
【図９】
2013218770.tif 000011
【図１０】
2013218770.tif 000012
【図１１】
2013218770.tif 000013
【図１２】
2013218770.tif 000014